(57)【要約】【課題】送信電力制御（ＴＰＣ）情報を要求し、取得する方法および無線通信システム。【解決手段】システムは、少なくとも１つのアクセスポイント（ＡＰ）（１１０）および少なくとも１つの無線送信／受信ユニット（ＷＴＲＵ）（１０５）を含む。ＡＰ（１１０）は、ＷＴＲＵ（１０５）の送信電力レベルを適応させることを決定すると、ＴＰＣ要求フレームをＷＴＲＵ（１０５）に送信する。ＴＰＣ要求フレームの受信に応答して、ＷＴＲＵ（１０５）は、１または複数の物理的測定を実行し、ＴＰＣ報告フレームをＡＰ（１１０）に返信する。【選択図】図１Ｂ
2011130505.tif 000002
【特許請求の範囲】
【請求項１】
アクセスポイント（ＡＰ）において用いる測定値を交換する方法であって、
第１の管理エンティティから第２の管理エンティティに第１のメッセージを通信することであって、前記第１および第２の管理エンティティは、前記ＡＰにあること、
前記第１のメッセージに応答して、前記第２の管理エンティティから無線送信／受信ユニット（ＷＴＲＵ）へ測定要求を送信することであって、前記測定要求は、パラメータの測定値の要求を含むこと、
前記第２の管理エンティティにおいて前記ＷＴＲＵから測定結果を受信することであって、前記測定結果は、要求された前記パラメータの測定値を含むこと、および
前記要求されたパラメータの測定値を前記ＡＰの管理情報ベース（ＭＩＢ）に格納すること
を備えたことを特徴とする方法。
【請求項２】
前記第２の管理エンティティから前記第１の管理エンティティに、前記第１のメッセージの受信確認である第２のメッセージを通信することをさらに備えたことを特徴とする請求項１に記載の方法。
【請求項３】
前記測定結果は、前記要求された測定値の絶対値を含むことを特徴とする請求項１に記載の方法。
【請求項４】
前記測定結果は、前記要求された測定値の統計的平均を含むことを特徴とする請求項１に記載の方法。
【請求項５】
前記測定結果は、前記パラメータの時間に対するヒストグラム値を含むことを特徴とする請求項１に記載の方法。
【請求項６】
前記パラメータは、信号対雑音比を含むことを特徴とする請求項１に記載の方法。
【請求項７】
前記パラメータは、ＲＣＰＩ（received channel power indication）を含むことを特徴とする請求項１に記載の方法。
【請求項８】
前記パラメータは、リンク測定値を含むことを特徴とする請求項１に記載の方法。
【請求項９】
前記パラメータは、クリアチャネルアセスメント（clear channel assessment：ＣＣＡ）を含むことを特徴とする請求項１に記載の方法。
【請求項１０】
前記測定要求は、前記パラメータの格納された測定値に対する要求であることを特徴とする請求項１に記載の方法。
【請求項１１】
前記測定要求は、前記パラメータの新しい測定値を得るための要求であることを特徴とする請求項１に記載の方法。
【請求項１２】
前記測定結果を前記第１の管理エンティティに通信することをさらに備えたことを特徴とする請求項１に記載の方法。
【請求項１３】
アクセスポイント（ＡＰ）であって、
第１のメッセージを通信するように構成された第１の管理エンティティと、
第２の管理エンティティであって、
前記第１のメッセージを受信し、
前記第１のメッセージに応答して、パラメータの測定値の要求を含む測定要求を無線送信／受信ユニット（ＷＴＲＵ）へ送信し、
要求された前記パラメータの測定値を含む測定結果を前記ＷＴＲＵから受信する第２の管理エンティティとを備え、
前記第１の管理エンティティは、前記要求されたパラメータの測定値を格納するように構成された管理情報ベース（ＭＩＢ）を含むことを特徴とするＡＰ。
【請求項１４】
前記第２の管理エンティティは、前記第１のメッセージの受信確認である第２のメッセージを、前記第２の管理エンティティから前記第１の管理エンティティに、通信するように構成されたていることを特徴とする請求項１３に記載のＡＰ。
【請求項１５】
前記測定結果は、前記要求された測定値の絶対値を含むことを特徴とする請求項１３に記載のＡＰ。
【請求項１６】
前記測定結果は、前記要求された測定値の統計的平均を含むことを特徴とする請求項１３に記載のＡＰ。
【請求項１７】
前記測定結果は、前記パラメータの時間に対するヒストグラム値を含むことを特徴とする請求項１３に記載のＡＰ。
【請求項１８】
前記パラメータは、信号対雑音比を含むことを特徴とする請求項１３に記載のＡＰ。
【請求項１９】
前記パラメータは、ＲＣＰＩ（received channel power indication）を含むことを特徴とする請求項１３に記載のＡＰ。
【請求項２０】
前記パラメータは、リンク測定値を含むことを特徴とする請求項１３に記載のＡＰ。
【請求項２１】
前記パラメータは、クリアチャネルアセスメント（clear channel assessment：ＣＣＡ）を含むことを特徴とする請求項１３に記載のＡＰ。
【請求項２２】
前記測定要求は、前記パラメータの格納された測定値に対する要求であることを特徴とする請求項１３に記載のＡＰ。
【請求項２３】
前記測定要求は、前記パラメータの新しい測定値を得るための要求であることを特徴とする請求項１３に記載のＡＰ。
【請求項２４】
前記第２の管理エンティティは、前記測定結果を前記第１の管理エンティティに送信するように構成されていることを特徴とする請求項１３に記載のＡＰ。
【発明の詳細な説明】
【技術分野】
【０００１】
本発明は無線通信システムに関する。より詳細には、本発明は、無線送信／受信ユニット（ＷＴＲＵ）とアクセスポイント（ＡＰ）との間で送信電力制御（ＴＰＣ）情報を転送する方法およびシステムに関する。
【背景技術】
【０００２】
無線ローカルエリアネットワーク（ＷＬＡＮ）は、その便利さおよび柔軟性のために、より普及してきた。こうしたネットワーク用の新しいアプリケーションが開発されるにつれて、その人気はかなり高まると予想される。
【０００３】
ＩＥＥＥ（Institute of Electrical and Electronics Engineers）ワーキンググループは、より高いデータ転送速度および他のネットワーク機能を提供するための拡張を含むＩＥＥＥ８０２．１１ベースライン標準を定義している。ＩＥＥＥ８０２．１１標準に基づいて、ネットワークエンティティは、管理情報ベース（ＭＩＢ）を含む。ＭＩＢは、メディアアクセス制御層（ＭＡＣ）の層ＭＩＢまたは物理（ＰＨＹ）層のＭＩＢのいずれかとすることができる。ＭＩＢテーブル内のデータエントリは、ＩＥＥＥ８０２．１１標準を使用する。
【０００４】
ネットワーク管理エンティティ（ＮＭＥ）は、ＷＬＡＮに接続され、フレームを送信することによって互いに通信する。８０２．１１標準によって定義された３つのタイプのＭＡＣフレーム、１）データフレーム、２）制御フレーム、および３）管理フレームがある。また、これらのフレームごとにサブタイプもある。例えば、アクションフレームは、管理フレームのサブタイプである。アクションフレームは、カテゴリによってさらに定義される。現在、アクションフレームカテゴリは、０−スペクトル管理、１−サービス品質の管理、２−直接リンクプロトコル、および３−無線測定と定義されている。
【０００５】
サービスプリミティブとは、標準化されたメッセージ内容を使用した、ステーション管理エンティティ（ＳＭＥ）とＭＡＣ層管理エンティティ（ＭＬＭＥ）との間など、層エンティティ間またはプロトコルエンティティ間の交換のために使用される内部信号メッセージである。メッセージの特定の形式は、標準では指定されてはいないが、標準は内容を指定している。サービスプリミティブは、一般に、例えば管理の目的であるＷＴＲＵから別のＷＴＲＵに特定のフレームを送信することによって、特定のアクションを開始し、確認し、または報告するために使用される。
【０００６】
ＩＥＥＥ８０２．１１標準によれば、ＳＭＥは、適切なＭＡＣ操作を提供するためにＷＴＲＵに組み込まれる。ＳＭＥは、個別の管理プレーンに存在する、または「横に離れて」存在すると見なすことができる、層に依存しないエンティティである。したがって、ＳＭＥは、様々な層管理エンティティからの層依存状況の収集、および層固有パラメータの値を同様に設定するなどの機能に責任を負うと見なされ得る。ＳＭＥは、一般に、一般のシステム管理エンティティの代わりにこうした機能を行い、標準管理プロトコルを実装する。
【０００７】
さらに、ＩＥＥＥ８０２．１１標準によれば、ＷＴＲＵは、その挙動を制御する構成設定をＭＩＢに含む。ＷＬＡＮ無線リソース管理（ＲＲＭ）との関連でＷＴＲＵの挙動を解釈し、性能を向上させるために、ＡＰが各ＷＴＲＵの構成を理解できることが重要である。例えば、ＷＴＲＵは、そのＭＩＢで、正常に受信されたが、デコードできないデータフレームを追跡する。これは、ＡＰが最低レベルのサービス品質をＷＴＲＵに提供するための重要な情報である。
【０００８】
ＲＲＭは、ＷＬＡＮ管理において最も重要な側面の１つである。ＷＬＡＮは、帯域内干渉の緩和および周波数の再利用を含めて、ＲＲＭを実行することによって性能のかなりの向上を達成することができる。効率的なＲＲＭでは、ＮＭＥがＷＴＲＵ固有のＴＰＣ関連情報を取り出すことが必要である。従来の無線システムで使用されるＭＩＢデータ構造に関する問題は、ＷＴＲＵのＴＰＣ情報がＡＰのＭＩＢに格納されないということである。
【０００９】
干渉の緩和は、送信電力量を最低限に抑えることによって、付近の他のユーザの干渉を回避するために無線通信システムで使用される昔ながらの技術である。ＩＥＥＥ８０２．１１ｈ標準は、瞬時送信電力（instantaneous transmit power）およびリンクマージン（link margin）を得るために、ＢＥＡＣＯＮおよびＰＲＯＢＥ  ＲＥＳＰＯＮＳＥフレームによる最大許容送信電力のメッセージング、およびＴＰＣ  ＲＥＱＵＥＳＴおよびＴＰＣ  ＲＥＰＯＲＴフレームによるメッセージングを定義する。ＡＰは、ＢＥＡＣＯＮフレームを一斉送信し、またはＰＲＯＢＥ  ＲＥＳＰＯＮＳＥフレームで応答する。ＢＥＡＣＯＮフレームは、国フィールド、電力制約フィールド、送信電力フィールド、およびリンクマージンフィールドを含む。国フィールドは、最大法的電力レベルを含む。電力制約フィールドは、最大法的電力レベルと比較したオフセット値を含む。送信電力フィールドは、ＴＰＣ  ＲＥＰＯＲＴフレームの送信に使用される送信電力を示す。リンクマージンフィールドは、ＢＥＡＣＯＮおよびＰＲＯＢＥ  ＲＥＳＰＯＮＳＥフレームでゼロに設定されている。
【００１０】
基本サービスセット（ＢＳＳ）における送信／受信電力レベルおよびリンクマージンなど、ＷＴＲＵの物理的測定データまたはＭＡＣ性能統計情報の要求／報告メッセージングおよび取り出しは、干渉の緩和およびＲＲＭをサポートするための重要なパラメータである。しかし、これらの物理的測定値またはＭＡＣ性能統計情報は、Ｌ１  ＰＨＹまたはＬ２  ＭＡＣプロトコルエンティティから外部ＷＬＡＮ  ＲＲＭエンティティへのインタフェースとして働くＳＭＥに渡されない。ＳＭＥは、一般に、ＭＩＢに対する読み取り／書き込みを行うインタフェースソフトウェアを含む。例えば、簡易ネットワーク管理プロトコル（ＳＮＭＰ）からコマンドを受信すると、特定のＭＩＢエントリの読み取りがＳＮＭＰに報告される。
【発明の概要】
【発明が解決しようとする課題】
【００１１】
現在、ＷＬＡＮは、通常、必要とされるよりかなり高い電力レベルで伝送する。ＴＰＣでは、他のＷＴＲＵに対して必要な干渉を超える干渉を発生させずに、良好な信号受信を常に保証する最低レベルに送信電力を調整することができる。また、効果的な負荷制御、およびＢＳＳレンジ調整を行うことも可能である。レンジ調整、負荷バランシング、最大セル半径は、ＡＰの送信電力、およびＷＴＲＵの受信機の感度によって決定される。送信電力が適切に制御されない場合、セルの端のＷＴＲＵは、ＡＰへの接続を維持できなくなり、やむを得ず付近のＡＰとの再関連付けを行う。したがって、適切な電力制御によって、効果的な負荷制御およびレンジ調整が可能になる。
【課題を解決するための手段】
【００１２】
本発明は、ＷＴＲＵとＡＰとの間でＴＰＣ情報を転送する方法および無線通信システムである。ＡＰは、第１の管理エンティティおよび第２の管理エンティティを含む。ＷＴＲＵは、第３の管理エンティティを含む。ＡＰ内の第１の管理エンティティは、ＷＴＲＵの送信電力レベルを適応させるかどうかを決定する。第１の管理エンティティは、ＷＴＲＵの送信電力レベルを適応させることを決定した場合、ＴＰＣ情報を要求する第１のメッセージをＡＰ内の第２の管理エンティティに送信する。第２の管理エンティティは、第１のメッセージの受信を確認するメッセージを第１の管理エンティティに送信することができる。
【００１３】
ＡＰ内の第２の管理エンティティは、ＴＰＣ情報をＡＰに提供するようＷＴＲＵに要求する第２のメッセージをＷＴＲＵに送信する。ＷＴＲＵが第２のメッセージを受信したことに応答して、ＷＴＲＵ内の第３の管理エンティティは、１または複数の物理的測定を実行して、１または複数のＴＰＣパラメータを決定する。次いで第３の管理エンティティは、物理的測定の結果に関連付けられている要求されたＴＰＣ情報を含む第３のメッセージをＡＰに送信する。
【００１４】
第３の管理エンティティによって実行される測定は、ＷＴＲＵ送信電力レベル測定、リンクマージン測定、クリアチャネルアセスメント（clear channel assessment：ＣＣＡ）、ＰＳＮＩ（perceived signal-to-noise indication）測定、ＲＳＳＩ（received signal strength indication）測定、およびＲＣＰＩ（received channel power indication）測定を含む。第１の管理エンティティは、ＳＭＥとすることができ、第２および第３の管理エンティティは、ＭＬＭＥとすることができる。無線通信システムは、ＷＬＡＮとすることができる。
【００１５】
本発明は、例として提供され、添付の図面との関連で理解すべき以下の好ましい例の説明からより詳しく理解されよう。
【図面の簡単な説明】
【００１６】
【図１Ａ】本発明に従って動作する無線通信システムを示すブロック図である。
【図１Ｂ】図１Ａの無線通信システムで使用されるＡＰおよびＷＴＲＵの構成を示す詳細なブロック図である。
【図２】本発明によるＴＰＣ情報を取得するためのＷＴＲＵとＡＰとの間の通信を示す信号フロー図である。
【図３】本発明による、測定報告を要求し、受信するためのＷＴＲＵとＡＰとの間の通信を示す信号フロー図である。
【図４】本発明によるネットワーク管理エンティティ間でサービスプリミティブを使用してＴＰＣ情報を転送するプロセス例を示す信号フロー図である。
【図５】本発明によるネットワークエンティティ間でＴＰＣ情報を転送する方法ステップを含むプロセス例を示すフローチャートである。
【発明を実施するための形態】
【００１７】
以下、ＷＴＲＵは、これに限定されないが、ユーザ機器、移動局、固定式または携帯用サブスクライバユニット、ページャ、または無線環境で動作することができる他の任意の種類の装置を含む。以下で言及するとき、ＡＰは、これに限定されないが、基地局、ノードＢ、サイトコントローラ、または無線環境における他の任意の種類のインタフェース装置を含む。
【００１８】
全体を通じて類似の番号が類似の要素を表す図面を参照して、本発明について説明する。本発明は、ＷＬＡＮ  ＩＥＥＥ８０２．１１標準（８０２．１１ベースライン、８０２．１１ａ、８０２．１１ｂ、および８０２．１１ｇ）にアドオンとして適用され、また、ＩＥＥＥ８０２．１１ｅ、８０２．１１ｈ、８０２．１６にも適用される。
【００１９】
本発明は、ＵＭＴＳ（Universal Mobile Telecommunications System）、ＣＤＭＡ２０００および一般のＣＤＭＡに適用されるように、時分割複信（ＴＤＤ）、周波数分割複信（ＦＤＤ）、時分割同期ＣＤＭＡ（ＴＤＳＣＤＭＡ）にさらに適用可能であるが、他の無線システムにも適用可能であると考えられる。
【００２０】
本発明の特徴を、集積回路（ＩＣ）に組み込んだり、多数の相互接続構成要素を含む回路において構成したりすることができる。
【００２１】
図１Ａは、複数のＷＴＲＵ１０５、複数のＡＰ１１０、配信システム（ＤＳ）１１５、ＮＭＥ１２０、およびネットワーク１２５を含む無線通信システム１００のブロック図である。ＷＴＲＵ１０５およびＡＰ１１０は、それぞれの基本サービスセット（ＢＳＳ）１３０を形成する。ＢＳＳ１３０およびＤＳ１１５は、拡張サービスセット（ＥＳＳ）を形成する。ＡＰは、ネットワーク１２５を介してＮＭＥ１２０に接続される。無線通信システム１００は、ＷＬＡＮとすることができる。
【００２２】
図１Ｂは、無線通信システム１００で使用されるＡＰ１１０およびＷＴＲＵ１０５の構成を示す詳細なブロック図である。ＡＰ１１０は、第１の管理エンティティ１５０、第２の管理エンティティ１５５、および第１のＭＩＢ１６０を含む。ＷＴＲＵ１０５は、第３の管理エンティティ１６５、第４の管理エンティティ１７０、および第２のＭＩＢ１７５を含む。ＭＩＢ１６０および１７５は、構成パラメータ、性能測定基準、および障害インジケータの格納に使用される１または複数の記憶装置（カウンタ、レジスタ、または他のメモリ装置）から成る。
【００２３】
第１の管理エンティティ１５０は、ＳＭＥとすることができる。第２の管理エンティティ１５５は、ＭＬＭＥとすることができる。第３の管理エンティティ１６５は、ＭＬＭＥとすることができる。第４の管理エンティティ１７０は、ＳＭＥとすることができる。
【００２４】
図１Ａを参照すると、ＮＭＥ１２０にあるＲＲＭコントローラ（図示せず）は、ネットワーク１２５およびＤＳ１１５を介してＡＰ１１０と通信する。ＡＰ１１０は、ＷＴＲＵ１０５と無線で通信する。ＮＭＥ１２０は、メッセージをＡＰ１１０に送信して、ＳＮＭＰや拡張可能なマーク付け言語（ＸＭＬ）など、より高層（層２以上）の管理プロトコルによってＡＰのＢＳＳにおける許容可能な電力レベルを変更する。ＮＭＥ１２０は、許容可能な最大値および最小値をＡＰ１１０のＭＩＢ１６０に書き込む。
【００２５】
ＡＰ１１０のＭＩＢ１６０内のエントリを定期的に読み取り、サービスプリミティブを使用してＭＡＣシグナリングフレームを送受信するプロセスが、ＡＰ１１０において実施される。ＢＥＡＣＯＮやＴＰＣ  ＲＥＱＵＥＳＴ、ＭＥＡＳＵＲＥＭＥＮＴ  ＲＥＱＵＥＳＴなどのＭＡＣシグナリングフレームは、セル内のすべてのＷＴＲＵ１０５に伝えられる。
【００２６】
ＡＰ１１０がＷＴＲＵ１０５から（ＴＰＣ  ＲＥＰＯＲＴＳ、ＭＥＡＳＵＲＥＭＥＮＴ  ＲＥＰＯＲＴＳなどの）ＭＡＣシグナリングフレームを受信するとき、ＡＰ１１０は、報告された測定値を取得し、サービスプリミティブを使用して、ＡＰ１１０のＭＩＢ１６０に性能測定値を書き込む。次いでＮＭＥ１２０は、管理プロトコルを介してＡＰ１１０内のこうしたＭＩＢエントリを読み取り、現在のシステム性能を知る。ＮＭＥ１２０は、ＷＴＲＵ１０５の送信電力レベルを制御する。
【００２７】
ＭＩＢは、ＭＡＣ  ＭＩＢまたはＰＨＹ  ＭＩＢのいずれかとすることができる。ほとんどのＲＲＭユニットは非常に速く応答するＭＡＣレベルで動作するため、一般にＭＡＣ  ＭＩＢが好ましい。ＭＩＢテーブル内のエントリは、ＷＴＲＵ１つ当たりのテーブルまたは全体的な統計テーブルのいずれかに含まれるものとし、ＷＴＲＵ１つ当たりのテーブルの方が好ましい。こうした物理的測定データをＡＰ１１０のＭＩＢに格納することによって、外部のエンティティから使用できるようにすることにより、干渉レベルを低く保つことができ、結果的により高いシステム容量が得られる。
【００２８】
図２は、本発明に従ってＴＰＣデータを取得するためにＷＴＲＵ１０５とＡＰ１１０との間の通信をサポートするプロセスを示す。ＡＰ１１０は、対象のＷＴＲＵ１０５からＴＰＣデータを取得することを決定すると、ＴＰＣ要求フレーム２０５を対象のＷＴＲＵ１０５に送信する。ＴＰＣ要求フレーム２０５に応答して、ＷＴＲＵ１０５は、１または複数の要求された物理的測定を実行し、ＴＰＣ報告フレーム２１０をＡＰ１１０に送信する。次いでＡＰ１１０は、ＴＰＣデータをＡＰ１１０のＭＩＢ１６０に格納して、ＮＭＥ１２０などの外部エンティティから使用できるようにする。
【００２９】
図１Ａおよび図１Ｂを参照すると、ＴＰＣデータを取得するプロセスは、ＮＭＥ１２０によって開始することもでき、ＮＭＥ１２０は次に、ＡＰ１１０内の第１の管理エンティティ１５０をトリガして、プリミティブを第２の管理エンティティ１５５に送信して、ＭＡＣシグナリングフレームをＷＴＲＵ１０５に送信する。
【００３０】
図３は、１または複数の測定を実行し、ＷＴＲＵ１０５の固有の物理的パラメータをＡＰ１１０に報告するようＡＰ１１０がＷＴＲＵ１０５に要求するためにＷＴＲＵ１０５とＡＰ１１０との間の通信をサポートするプロセスを示す。ＡＰ１１０がＷＴＲＵ１０５に物理的測定データを要求することを決定すると、ＡＰ１１０は、対象のＷＴＲＵ１０５のいくつかの物理的パラメータを測定し、報告する旨の測定要求フレーム３０５を対象のＷＴＲＵ１０５に送信する。測定は、送信電力、リンクマージン、ＣＣＡ報告、ＲＰＩ（received power indicator）ヒストグラム報告、または他の任意の物理関連の測定を含み得る。これらは、絶対値、統計平均またはヒストグラム値、または任意のタイプのアルゴリズムまたは最適化ルーチンを使用して計算された値であり得る。要求された測定を実行した後、対象のＷＴＲＵ１０５は、測定データをコンパイルし、測定報告フレーム３１０をＡＰ１１０に送信する。測定データは、ＡＰ１１０のＭＩＢ１６０に格納され、任意選択で、ＷＴＲＵ１０５のＭＩＢ１７５に格納される。
【００３１】
ＷＴＲＵ１０５内のＭＩＢ１７５は、異なる２つのカテゴリの情報を格納する。第１のカテゴリは、信号電力、干渉レベル、雑音ヒストグラムなど、様々な物理的測定値を含む。第２のカテゴリは、ＣＣＡ  ｂｕｓｙ  ｆｒａｃｔｉｏｎ、平均バックオフ時間、誤りフレームカウンタなど、様々なＭＡＣ性能統計情報である。
【００３２】
受信された物理的測定値およびＭＡＣ性能統計情報は、ＡＰ１１０のＭＩＢ１６０に格納されると、ＲＲＭの責任を負うエンティティから使用できるようになる。ＭＩＢ１６０は、ＭＡＣ  ＭＩＢまたはＰＨＹ  ＭＩＢのいずれかとすることができる。ＲＲＭメッセージングは、ＭＡＣ層でも行われ、ＰＨＹ層よりかなり速いため、ＭＡＣ  ＭＩＢが好ましい。これらの物理的測定データは、ＡＰ１１０のＭＩＢ１６０に格納することによって外部エンティティから使用できるようになる。したがって、効果的な負荷制御およびＢＳＳレンジ調整が可能になる。
【００３３】
図４は、ＡＰ１１０とＷＴＲＵ１０５との間でサービスプリミティブを使用してＴＰＣ情報を取得するプロセス４００の例を示す信号フロー図である。内部メッセージングは、本発明によって新しく導入されるサービスプリミティブにより行われる。プロセス４００を使用して、ＡＰ１１０は、ＷＴＲＵ１０５からＴＰＣデータを取得し、ＴＰＣデータをＡＰ１１０のＭＩＢ１６０に格納することができる。
【００３４】
ＡＰ１１０は、ＳＭＥ４５０およびＭＬＭＥ４５５を含む。ＷＴＲＵ１０５は、ＭＬＭＥ４６５およびＳＭＥ４７０を含む。図４を参照すると、ＡＰ１１０のＳＭＥ４５０は、ＷＴＲＵ１０５の送信電力レベルを適応させるかどうかを決定する（ステップ４０２）。ＳＭＥ４５０がステップ４０２でＷＴＲＵ１０５の送信電力レベルを適応させることを決定した場合、ステップ４０４で、ＳＭＥ４５０は、ＴＰＣ情報を要求する第１のメッセージ（ＭＬＭＥ−ＴＰＣＡＤＡＰＴ．ｒｅｑ）をＡＰ１１０のＭＬＭＥ４５５に送信する。ステップ４０６で、ＭＬＭＥ４５５は、第１のメッセージ（ＭＬＭＥ−ＴＰＣＡＤＡＰＴ．ｒｅｑ）の受信を確認する第２のメッセージ（ＭＬＭＥ−ＴＰＣＡＤＡＰＴ．ｃｆｍ）をＳＭＥ４５０に送信する。ステップ４０８で、ＭＬＭＥ４５５は、ＴＰＣ情報を要求する第３のメッセージ（ＴＰＣ要求フレーム）を対象のＷＴＲＵ１０５に送信し、対象のＷＴＲＵ１０５のＭＬＭＥ４６５は、第３のメッセージ（ＴＰＣ要求フレーム）を受信する。ステップ４１０で、ＭＬＭＥ４６５は、１または複数の物理的測定を実行して、ＷＴＲＵ送信電力レベル、ＷＴＲＵ受信電力レベル、リンクマージン（すなわち送信電力−受信電力）、ＰＳＮＩ、ＲＳＳＩ、ＲＣＰＩなどのＴＰＣパラメータを決定する。ＴＰＣパラメータを決定する測定値の結果を、ＳＭＥ４７０に転送し、ＷＴＲＵ１０５のＭＩＢ１７５に格納しても良い。ステップ４１２で、対象のＷＴＲＵ１０５のＭＬＭＥ４６５は、要求されたＴＰＣ情報を含む第４の信号（ＴＰＣ報告フレーム）をＡＰ１１０に送信する。ステップ４１４で、ＭＬＭＥ４６５は、要求されたＴＰＣ情報を含む第５のメッセージ（ＭＬＭＥ−ＴＰＣＲＥＰＯＲＴ．ｉｎｄ）をＳＭＥ４５０に送信する。ＳＭＥ４５０は、ＴＰＣ情報が外部のＲＲＭエンティティから使用できるように、要求されたＴＰＣ情報をＡＰ１１０のＭＩＢ１６０に格納することができる。ＴＰＣ要求は、ステップ４１６で終了する。
【００３５】
図５は、本発明によるネットワークエンティティ間でＴＰＣ情報を転送する方法ステップを含むプロセス５００の例を示すフローチャートである。
【００３６】
図１Ａに示すように、プロセス５００は、少なくとも１つのＡＰ１１０および少なくともＷＴＲＵ１０５を含む無線通信システム１００で実施される。図１Ｂに示すように、ＡＰ１１０は、第１の管理エンティティ１５０および第２の管理エンティティ１５５を含む。さらに、図１Ｂに示すように、ＷＴＲＵ１０５は、第３の管理エンティティ１６５および第４の管理エンティティ１７０を含む。
【００３７】
図５を参照すると、ＡＰ１１０内の第１の管理エンティティ１５０は、ＷＴＲＵ１０５の送信電力レベルを適応させるかどうかを決定する（ステップ５０５）。ステップ５０５で第１の管理エンティティ１５０がＷＴＲＵ１０５の送信電力レベルを適応させることを決定した場合、ステップ５１０で、第１の管理エンティティ１５０は、ＴＰＣ情報を要求する第１のメッセージをＡＰ１１０内の第２の管理エンティティ１５５に送信する。ステップ５１５で、第２の管理エンティティ１５５は、第１のメッセージの受信を確認する第２のメッセージを第１の管理エンティティ１５０に送信する。ステップ５２０で、第２の管理エンティティ１５５は、ＴＰＣ情報の要求を含む第３のメッセージをＷＴＲＵ１０５に送信する。ステップ５２５で、ＷＴＲＵ１０５内の第３の管理エンティティ１６５は、第３のメッセージを受信する。ステップ５３０で、第３の管理エンティティ１６５は、１または複数の物理的測定を実行して、ＴＰＣパラメータを決定する。第３の管理エンティティ１６５は、物理的測定の結果を第４の管理エンティティ１７０に転送し、第４の管理エンティティは、物理的測定の結果をＭＩＢ１７５に格納することができる。ステップ５３５で、第３の管理エンティティ１６５は、要求されたＴＰＣ情報を含む第４のメッセージをＡＰ１１０に送信する。ステップ５４０で、ＡＰ１１０内の第２の管理エンティティ１５５は、第４のメッセージを受信する。ステップ５４５で、第２の管理エンティティ１５５は、要求されたＴＰＣ情報を含む第５のメッセージを第１の管理エンティティに送信する。次いで要求されたＴＰＣ情報を、ＡＰ１１０のＭＩＢ１６０に格納することができる。
【００３８】
本発明は、特に、好ましい実施形態を参照して示され、説明されているが、上述した本発明の範囲から逸脱することなく、形および詳細に様々な変更を加えることができることを当業者であれば理解されよう。
【図１Ａ】
2011130505.tif 000003
【図１Ｂ】
2011130505.tif 000004
【図２】
2011130505.tif 000005
【図３】
2011130505.tif 000006
【図４】
2011130505.tif 000007
【図５】
2011130505.tif 000008